(57)【要約】【課題】閉磁路型の点火コイルでは鉄芯の磁気性能を向上させるために中心鉄芯と外周鉄芯を接続するマグネットの断面積を広くしているが、中心鉄芯の断面積の広くなる境界部分において、中心鉄芯と１次コイルの対向面がケース開口面に対して垂直方向に生じるため、中心鉄芯と１次コイルの熱膨張係数の違いから発生する中心鉄芯と１次コイル間の剥離によるモールド樹脂のクラックがケース開口面まで波及し、コイル内に水滴が侵入する不具合が発生する恐れがある。【解決手段】中心鉄芯30のうち外周鉄芯40と磁気的に接続される外周鉄芯接続部32b，32cの少なくとも一方の断面積がコイル配置部32aの断面積より広がっている内燃機関用点火コイル100において、外周鉄芯接続部32b，32cのケース60の開口面62側部分は、１次ボビン10又は２次ボビン20に形成された突部14a，14b，22a，22bによって覆われる。【選択図】図１
2013187216.tif 000002
【特許請求の範囲】
【請求項１】
中心鉄芯及び外周鉄芯からなる鉄芯と、
当該中心鉄芯と同軸上に配置される１次ボビンの外周に１次巻線を巻き回した１次コイルと、
前記中心鉄芯と同軸上に配置される２次ボビンの外周に２次巻線を巻き回した２次コイルとを備えるとともに、
プラグホール外に前記各鉄芯とコイルを収容し内部にモールド樹脂を充填するケースを備え、
前記中心鉄芯のうち前記外周鉄芯と磁気的に接続される外周鉄芯接続部の少なくとも一方の断面積がコイル配置部の断面積より広がっている内燃機関用点火コイルにおいて、
当該外周鉄芯接続部の前記ケースの開口面側部分は、前記１次ボビン又は前記２次ボビンによって覆われることを特徴とする内燃機関用点火コイル。
【請求項２】
前記外周鉄芯接続部の前記ケースの開口面側部分は、前記１次ボビン又は前記２次ボビンに形成された突部によって覆われることを特徴とする請求項１に記載の内燃機関用点火コイル。
【請求項３】
中心鉄芯及び外周鉄芯からなる鉄芯と、
当該中心鉄芯と同軸上に配置される１次ボビンの外周に１次巻線を巻き回した１次コイルと、
前記中心鉄芯と同軸上に配置される２次ボビンの外周に２次巻線を巻き回した２次コイルとを備えるとともに、
プラグホール外に前記各鉄芯とコイルを収容し内部にモールド樹脂を充填するケースを備え、
前記外周鉄芯の断面積は、前記中心鉄芯の断面積より広がっている内燃機関用点火コイルにおいて、
前記外周鉄芯の前記ケースの開口面側部分は、前記１次ボビン又は前記２次ボビンによって覆われることを特徴とする内燃機関用点火コイル。
【請求項４】
前記外周鉄芯の前記ケース開口面側部分は、前記１次ボビン又は前記２次ボビンに形成された突部によって覆われることを特徴とする請求項３に記載の内燃機関用点火コイル。
【請求項５】
前記１次コイルは、前記中心鉄芯の外周に備えられ、
前記２次コイルは、前記１次コイルの外周に備えられることを特徴とする請求項１乃至４に記載の内燃機関用点火コイル。
【請求項６】
前記外周鉄芯は、前記鉄芯の磁路が前記ケースの開口面に対して直交する方向に配置され、
前記外周鉄芯は、一部が前記モールド樹脂の樹脂面から露出することを特徴とする請求項１乃至５に記載の内燃機関用点火コイル。
【請求項７】
中心鉄芯及び外周鉄芯からなる鉄芯と、
当該中心鉄芯と同軸上に配置される１次ボビンの外周に１次巻線を巻き回した１次コイルと、
前記中心鉄芯と同軸上に配置される２次ボビンの外周に２次巻線を巻き回した２次コイルとを備えるとともに、
プラグホール外に前記各鉄芯とコイルを収容し内部にモールド樹脂を充填するケースを備え、
前記中心鉄芯のうち前記外周鉄芯と磁気的に接続される外周鉄芯接続部の少なくとも一方の断面積がコイル配置部の断面積より広がっている内燃機関用点火コイルにおいて、
前記外周鉄芯は、前記鉄芯の磁路が前記ケースの開口面に対して直交する方向に配置され、
前記外周鉄芯は、一部が前記モールド樹脂の樹脂面から露出し、
前記外周鉄芯接続部の前記ケース開口面側部分は、前記外周鉄芯のコイル対向面によって覆われることを特徴とする内燃機関用点火コイル。
【請求項８】
前記外周鉄芯は、周囲の少なくとも一部を覆う鉄芯カバーを備え、
前記外周鉄芯接続部の前記ケース開口面側部分は、前記鉄芯カバーのコイル側鉄芯カバーによって覆われることを特徴とする請求項７に記載の内燃機関用点火コイル。
【請求項９】
前記外周鉄芯接続部の前記ケース開口面側部分は、前記外周鉄芯の前記コイル対向面又は前記鉄芯カバーの前記コイル側鉄芯カバーに形成された突部によって覆われることを特徴とする請求項７又は８に記載の内燃機関用点火コイル。
【発明の詳細な説明】
【技術分野】
【０００１】
本発明は、内燃機関のプラグホール外に配置される点火コイルに関し、特に、ケース内に充填されるモールド樹脂のクラックに関するものである。
【背景技術】
【０００２】
従来より、内燃機関用点火コイルにおいて、厳しくなる燃焼条件でも確実に着火を行うために鉄芯の磁気性能を向上させて、２次電圧を増大させる必要があり、閉磁路型の点火コイルでは中心鉄芯と外周鉄芯を接続するマグネットの断面積を広くしている。このような点火コイルでは、例えば特開２０１１−０８２４６９号公報（以下「特許文献１」）のような構造が知られている。
【０００３】
特許文献１の点火コイルの断面図を図１１に示す。図１１において、一次コイル16は、絶縁被膜を有するマグネットワイヤを中心コア30の外周に直接巻回して形成してある。また、二次コイル24は、一次コイル16の外周側において、樹脂製のスプール20に対して、一次コイル16を形成するマグネットワイヤよりも細いマグネットワイヤを一次コイル16よりも多い巻回数で巻回して形成してある。
【０００４】
高電圧側端面141に形成した凹部143Aは、中心コア30の高電圧側端部において一次コイル16が巻回されていない無巻回部位の内周側位置に形成してある。この無巻回部位における高電圧側端面141は、一次コイル16の軸方向端面よりも所定長さ突出している。そして、高電圧側端面141に形成した凹部143Aの軸方向深さは、無巻回部位144が突出する所定長さよりも浅く（短く）なっている。これにより、一次コイル16が巻回されていない中心コア30の無巻回部位に凹部143Aを形成することになり、凹部143Aの形成により、中心コア30の磁気性能が低下してしまうことを防止することができる。
【０００５】
また、中心コア30における低電圧側端部には、永久磁石50を対向配置する面積を確保した鍔部32bが形成されている。本例の低電圧側端面142は、鍔部32bの端面として形成されている。  なお、低電圧側端面142に形成した凹部143Bは、中心コア30の低電圧側端部において一次コイル16が巻回されている部位の内周側位置まで形成されている。ただし、低電圧側端面142には、コアギャップ（間隙）148が隣接して存在することにより、低電圧側端面142の近傍における透磁率はもともと小さく、凹部143Bが存在しても磁気性能に大きな影響はない点火コイル100が提案されている。
【先行技術文献】
【特許文献】
【０００６】
【特許文献１】特開２０１１−０８２４６９号公報
【発明の概要】
【発明が解決しようとする課題】
【０００７】
しかしながら、上記従来の内燃機関用点火コイルでは次のような問題が生じている。即ち、特許文献１においては、中心コアにおける低電圧側端部には、鍔部が形成されている。これによって永久磁石を対向配置する面積を確保し、鉄芯の磁気性能を向上させている。しかし、このような構成とすると、中心鉄芯の断面積の広くなる境界部分において、中心鉄芯と１次コイルの対向面がケース開口面に対して垂直方向に生じるため、中心鉄芯と１次コイルの熱膨張係数の違いから発生する中心鉄芯と１次コイル間の剥離によるモールド樹脂のクラックがケース開口面まで波及し、コイル内に水滴が侵入する不具合が発生する恐れがある。
【０００８】
本発明は上記課題に鑑みなされたもので、中心鉄芯の断面積の広くなる境界部分において、中心鉄芯と１次コイルの対向面がケース開口面に対して垂直方向に生じても、中心鉄芯と１次コイルの熱膨張係数の違いから発生する中心鉄芯と１次コイル間の剥離によるモールド樹脂のクラックがケース開口面まで波及することのない信頼性に優れた内燃機関用点火コイルを提供することを目標とする。
【課題を解決するための手段】
【０００９】
上記課題を解決するために本発明は次のような構成とする。即ち、中心鉄芯及び外周鉄芯からなる鉄芯と、当該中心鉄芯と同軸上に配置される１次ボビンの外周に１次巻線を巻き回した１次コイルと、前記中心鉄芯と同軸上に配置される２次ボビンの外周に２次巻線を巻き回した２次コイルとを備えるとともに、プラグホール外に前記各鉄芯とコイルを収容し内部にモールド樹脂を充填するケースを備え、前記中心鉄芯のうち前記外周鉄芯と磁気的に接続される外周鉄芯接続部の少なくとも一方の断面積がコイル配置部の断面積より広がっている内燃機関用点火コイルにおいて、当該外周鉄芯接続部の前記ケースの開口面側部分は、前記１次ボビン又は前記２次ボビンによって覆われることを特徴とする内燃機関用点火コイルとする。
【００１０】
また、上記構成においては、前記外周鉄芯接続部の前記ケースの開口面側部分は、前記１次ボビン又は前記２次ボビンに形成された突部によって覆われる構成としてもよい。
【００１１】
また、請求項３の発明においては、中心鉄芯及び外周鉄芯からなる鉄芯と、当該中心鉄芯と同軸上に配置される１次ボビンの外周に１次巻線を巻き回した１次コイルと、前記中心鉄芯と同軸上に配置される２次ボビンの外周に２次巻線を巻き回した２次コイルとを備えるとともに、プラグホール外に前記各鉄芯とコイルを収容し内部にモールド樹脂を充填するケースを備え、前記外周鉄芯の断面積は、前記中心鉄芯の断面積より広がっている内燃機関用点火コイルにおいて、前記外周鉄芯の前記ケースの開口面側部分は、前記１次ボビン又は前記２次ボビンによって覆われることを特徴とする内燃機関用点火コイルとする。
【００１２】
また、請求項３の発明においては、前記外周鉄芯の前記ケース開口面側部分は、前記１次ボビン又は前記２次ボビンに形成された突部によって覆われる構成としてもよい。
【００１３】
また、請求項１及び３の発明においては、前記１次コイルは、前記中心鉄芯の外周に備えられ、前記２次コイルは、前記１次コイルの外周に備えてもよい。さらに、前記外周鉄芯は、前記鉄芯の磁路が前記ケースの開口面に対して直交する方向に配置され、前記外周鉄芯は、一部が前記モールド樹脂の樹脂面から露出する構成としてもよい。
【００１４】
また、請求項７の発明においては、中心鉄芯及び外周鉄芯からなる鉄芯と、当該中心鉄芯と同軸上に配置される１次ボビンの外周に１次巻線を巻き回した１次コイルと、前記中心鉄芯と同軸上に配置される２次ボビンの外周に２次巻線を巻き回した２次コイルとを備えるとともに、プラグホール外に前記各鉄芯とコイルを収容し内部にモールド樹脂を充填するケースを備え、前記中心鉄芯のうち前記外周鉄芯と磁気的に接続される外周鉄芯接続部の少なくとも一方の断面積がコイル配置部の断面積より広がっている内燃機関用点火コイルにおいて、前記外周鉄芯は、前記鉄芯の磁路が前記ケースの開口面に対して直交する方向に配置され、前記外周鉄芯は、一部が前記モールド樹脂の樹脂面から露出し、前記外周鉄芯接続部の前記ケース開口面側部分は、前記外周鉄芯のコイル対向面によって覆われることを特徴とする内燃機関用点火コイルとする。
【００１５】
また、上記請求項７の発明においては、前記外周鉄芯は、周囲の少なくとも一部を覆う鉄芯カバーを備え、前記外周鉄芯接続部の前記ケース開口面側部分は、前記鉄芯カバーのコイル側鉄芯カバーによって覆われる構成としてもよい。さらに、前記外周鉄芯接続部の前記ケース開口面側部分は、前記外周鉄芯の前記コイル対向面又は前記鉄芯カバーの前記コイル側鉄芯カバーに形成された突部によって覆われる構成としてもよい。
【発明の効果】
【００１６】
上記の通り、中心鉄芯のうち外周鉄芯と磁気的に接続される外周鉄芯接続部の少なくとも一方の断面積がコイル配置部の断面積より広がっている内燃機関用点火コイルにおいて、外周鉄芯接続部のケースの開口面側部分は、１次ボビン又は２次ボビンに形成された突部によって覆われることで、中心鉄芯の断面積の広くなる境界部分において、中心鉄芯と１次コイルの対向面がケース開口面に対して垂直方向に生じても、中心鉄芯と１次コイルの熱膨張係数の違いから発生する中心鉄芯と１次コイル間の剥離によるモールド樹脂のクラックがケース開口面まで波及することのない信頼性に優れた内燃機関用点火コイルが実現できる。
【００１７】
また、請求項３の発明においては、外周鉄芯の断面積は、中心鉄芯の断面積より広がっている内燃機関用点火コイルにおいて、外周鉄芯のケース開口面側部分は、１次ボビン又は２次ボビンに形成された突部によって覆われることで、外周鉄芯と中心鉄芯の接続部分において、外周鉄芯と１次コイルの対向面がケース開口面に対して垂直方向に生じても、中心鉄芯と１次コイルの熱膨張係数の違いから発生する中心鉄芯と１次コイル間の剥離によるモールド樹脂のクラックがケース開口面まで波及することのない信頼性に優れた内燃機関用点火コイルが実現できる。
【００１８】
また、請求項７の発明においては、中心鉄芯のうち外周鉄芯と磁気的に接続される外周鉄芯接続部の少なくとも一方の断面積がコイル配置部の断面積より広がっている内燃機関用点火コイルにおいて、外周鉄芯接続部のケース開口面側部分は、外周鉄芯のコイル対向面又は鉄芯カバーのコイル側鉄芯カバーに形成された突部によって覆われることで、中心鉄芯の断面積の広くなる境界部分において、中心鉄芯と１次コイルの対向面がケース開口面に対して垂直方向に生じても、中心鉄芯と１次コイルの熱膨張係数の違いから発生する中心鉄芯と１次コイル間の剥離によるモールド樹脂のクラックがケース開口面まで波及することのない信頼性に優れた内燃機関用点火コイルが実現できる。
【００１９】
さらに、外周鉄芯は鉄芯の磁路がケース開口面と直交する方向になるように配置し、樹脂面から一部が高さ方向上方へ露出している点火コイルでは、ケース開口面方向へ向かうクラックは樹脂面付近の外周鉄芯によって抑止するが、上記構成を用いて開口面から離れた前記ケース側面方向へクラックを波及させた方が更に信頼性に優れた内燃機関用点火コイルが実現できる。
【図面の簡単な説明】
【００２０】
【図１】本発明の第１の実施例とする内燃機関用点火コイルの断面図である。
【図２】図１のＡ部拡大図である。
【図３】図１のＢ部拡大図である。
【図４】第１の実施例の変形例とする内燃機関用点火コイルの断面図である。
【図５】第２の実施例とする内燃機関用点火コイルの断面図である。
【図６】図５のＣ部拡大図である。
【図７】図５のＤ部拡大図である。
【図８】第２の実施例の変形例とする内燃機関用点火コイルの断面図である。
【図９】第３の実施例とする内燃機関用点火コイルの断面図である。
【図１０】図９のE部拡大図である。
【図１１】特許文献１の点火コイルの断面図である。
【発明を実施するための形態】
【００２１】
以下に本発明の実施の形態を示す実施例を図１乃至図１０に基づいて説明する。
【実施例１】
【００２２】
本発明の第１の実施例とする内燃機関用点火コイルの断面図を図１に、図１のＡ部拡大図を図２に、図１のＢ部拡大図を図３に、第１の実施例の変形例とする内燃機関用点火コイルの断面図を図４にそれぞれ示す。
【００２３】
図１乃至図３において、内燃機関用点火コイル100の外形を形成するケース60は、絶縁性の樹脂からなる鉛直方向上面に開口面62を有した箱型の一体成形で形成されている。また、当該ケース60には当該点火コイル100をエンジンブロックに取り付け固定するための略三角柱状の取り付けフランジ64を形成している。さらに、当該ケース60の側面にはバッテリからの１次電圧及びＥＣＵからの点火信号を受け取るためのコネクタ端子72を有したコネクタ66が形成されている。
【００２４】
また、前記点火コイル100の外側側面には２次電圧を点火プラグに供給するための高圧端子70を備える高圧タワー68を形成し、当該高圧タワー68はエンジン上部に形成されたプラグホール内に向かって突出するように形成されている。さらに、前記ケース60の外側底面は当該高圧タワー68方向へ向かってすり鉢状に形成されている。
【００２５】
また、前記高圧タワー68には前記高圧端子70と前記点火プラグを電気的に接続するためのスプリングを有したプロテクタを備えている。さらに、前記ケース60は前記プラグホール外に露出して配置されている。
【００２６】
また、前記点火コイル100は、珪素鋼板を積層して成形したI字型の中心鉄芯30とロの字型の外周鉄芯40とを日の字型に組み合わせてなる鉄芯と、当該中心鉄芯30の外周に樹脂で成形された略四角柱状の１次ボビン10の外周に銅線の表面にエナメル皮膜加工を施した１次巻線16を１００ターン程度巻き回した１次コイルと、当該１次コイルの外周に樹脂で成形された略四角柱状の２次ボビン20の外周に当該１次巻線16より細い銅線の表面にエナメル皮膜加工を施した２次巻線24を８０００〜１５０００ターン程度巻き回した２次コイルと、からなるコイル部で構成されている。
【００２７】
また、前記中心鉄芯30は前記珪素鋼板を前記ケース開口面62に対して直交する向きに積層し、前記外周鉄芯40は前記珪素鋼板を前記ケース開口面62に対して直交する向きに積層させて構成している。さらに、前記外周鉄芯40は前記鉄芯の磁路が前記ケース開口面62と並行する方向になるように配置されている。
【００２８】
また、前記中心鉄芯30の外周鉄芯接続部32bは前記１次コイルにより発生した磁束と反対方向の磁束を磁路中に発生させるためのマグネット50を備えている。さらに、前記中心鉄芯30は前記１次コイルを配置するコイル配置部32aの高さ方向寸法より当該マグネット50配置側の当該外周鉄芯接続部32bの高さ方向寸法を長くすることで、当該外周鉄芯接続部32bの断面積を確保し、前記鉄芯の磁気性能を向上させている。
【００２９】
また、前記中心鉄芯30の外周鉄芯接続部32cは前記外周鉄芯40と直接接続され、当該外周鉄芯接続部32cの高さ方向寸法は前記外周鉄芯40の高さ方向寸法より短くなっている。さらに、前記１次ボビン10の両端には前記１次巻線16の巻き崩れを防止するためのフランジ部12a，12bがそれぞれ形成されている。
【００３０】
また、図２に示すように前記外周鉄芯接続部32b側に形成される前記フランジ部12aの前記ケース開口面62方向端部には１次ボビン側突部14aが形成され、当該１次ボビン側突部14aは前記ケース開口面62と平行の向きに突出している。さらに、前記外周鉄芯接続部32bは１次ボビン側面34aからケース開口側面34bに亘る部分を当該１次ボビン側突部14aによって覆われている。
【００３１】
また、図３に示すように前記外周鉄芯接続部32c側に形成される前記フランジ部12bの前記ケース開口面62方向端部には１次ボビン側突部14bが形成され、当該１次ボビン側突部14bは前記ケース開口面62と平行の向きに突出している。さらに、前記外周鉄芯40は１次ボビン側面42aからケース開口側面42bに亘る部分を当該１次ボビン側突部14bによって覆われている。
【００３２】
また、前記２次ボビン20の一端には前記高圧端子70に２次電圧を供給するための２次高圧端子74が備えられている。さらに前記２次ボビン20の他端には前記１次コイルからの１次電圧を受け取るための２次低圧端子（図示しない）が備えられている。
【００３３】
また、前記ケース60内には前記１次コイルへの点火信号を供給するスイッチング素子及びリードフレームを絶縁樹脂モールドしたものからなるイグナイタ80が備えられている。さらに、当該リードフレームは当該スイッチング素子のベース、コレクタ、及び、エミッタのそれぞれが外部と接続するためのイグナイタ端子82としての機能を有している。
【００３４】
また、前記コネクタ端子72は前記バッテリから前記１次コイル及び前記２次コイルの低圧側とを結ぶ端子、前記ECUから前記イグナイタ80のベース側に配置された前記イグナイタ端子82を結ぶ端子、及び、前記イグナイタ端子82のエミッタ側に配置された前記イグナイタ端子82からグランドを結ぶ端子の合計３本の端子から構成されている。
【００３５】
また、前記イグナイタ端子82及び前記コネクタ端子72は略平板状の金属端子から構成され、前記イグナイタ端子82及び前記コネクタ端子72は前記ケース開口面62と直交する方向に導出され、前記コネクタ端子72は前記ケース60に形成された前記コネクタ66と同一面の前記ケース60の内壁に這って配置されている。さらに、前記イグナイタ端子82及び前記コネクタ端子72のうち２個を同方向に導出させるとともに、それぞれの間で電気的に導通を実現する如く溶接を用いて接続される。
【００３６】
また、前記ケース60内には前記点火コイル100の電気的絶縁及び各部材の物理的固定を実現するモールド樹脂90が充填されている。さらに、当該モールド樹脂90は前記ケース開口面62付近まで充填され、前記鉄芯、前記１次コイル、及び、前記２次コイルは前記ケース開口面62付近に形成される樹脂面92より低い位置に備えられている。
【００３７】
また、前記フランジ部12aと前記１次ボビン側面34aの間、前記１次ボビン側突部14aと前記ケース開口側面34bの間、前記フランジ12bと前記１次ボビン側面42aの間、及び、前記１次ボビン側突部14bと前記ケース開口側面42bの間には前記モールド樹脂90が充填されている。
【００３８】
上記構成により、前記外周鉄芯接続部32b側に形成される前記フランジ部12aの前記ケース開口面62方向端部に前記１次ボビン側突部14aを形成し、前記１次ボビン側突部14aは前記ケース開口面62と平行の向きに突出している。また、前記外周鉄芯接続部32bは前記１次ボビン側面34aから前記ケース開口側面34bに亘る部分を前記１次ボビン側突部14aによって覆われている。これにより、前記フランジ部12aと前記１次ボビン側面34aの間に充填される前記モールド樹脂90に前記１次ボビン10及び前記中心鉄芯30の熱膨張係数の違いによるクラックが発生しても、前記１次ボビン側突部14aによってクラックは前記ケース開口面62と平行する方向（図２矢印）へ曲折されるため、前記ケース開口面62までクラックを波及させない。
【００３９】
また、前記外周鉄芯接続部32c側に形成される前記フランジ部12bの前記ケース開口面62方向端部に前記１次ボビン側突部14bを形成し、前記１次ボビン側突部14bは前記ケース開口面62と平行の向きに突出している。さらに、前記外周鉄芯40は前記１次ボビン側面42aから前記ケース開口側面42bに亘る部分を前記１次ボビン側突部14bによって覆われている。これにより、前記フランジ部12bと前記１次ボビン側面42aの間に充填される前記モールド樹脂90に前記１次ボビン10及び前記外周鉄芯40の熱膨張係数の違いによるクラックが発生しても、前記１次ボビン側突部14bによってクラックは前記ケース開口面62と平行する方向（図３矢印）へ曲折されるため、前記ケース開口面62までクラックを波及させない。
【００４０】
上記実施例１の変形例として、前記点火コイル100は図４に示すようにコの字型に成形した前記外周鉄芯40を前記鉄芯の磁路が前記ケース開口面62と直交する方向に配置した構成としてもよいし、前記点火コイル100の構成は設計事情によって適宜変更してもよい。また、前記１次ボビン側突部14aは前記中心鉄芯30の前記ケース開口側面34bを覆う形状であれば設計事情によって任意に変更してもよい。さらに、前記１次ボビン側突部14aは前記１次ボビン10の前記フランジ12aに形成する以外にも前記中心鉄芯30の前記ケース開口側面34bを覆う形状であれば設計事情によって任意の位置に形成してもよい。
【００４１】
また、前記１次ボビン側突部14bは前記外周鉄芯40の前記ケース開口側面42bを覆う形状であれば設計事情によって任意に変更してもよい。さらに、前記１次ボビン側突部14bは前記１次ボビン10の前記フランジ12bに形成する以外にも前記外周鉄芯40の前記ケース開口側面42bを覆う形状であれば設計事情によって任意の位置に形成してもよい。
【００４２】
また、前記点火コイル100は前記外周鉄芯接続部32bが前記１次ボビン側面34aから前記ケース開口側面34bに亘る部分を前記１次ボビン側突部14aによって覆われている構成又は前記外周鉄芯40が前記１次ボビン側面42aから前記ケース開口側面42bに亘る部分を前記１次ボビン側突部14bによって覆われている構成のどちらか一方の構成のみ実施してもよい。さらに、前記点火コイル100は前記中心鉄芯30の外周に前記２次コイルを配置し、前記２次コイルの外周に前記１次コイルを配置する構成としてもよいし、前記鉄芯は２個のコの字型に成形した前記外周鉄芯40を組み合わせて構成してもよい。
【実施例２】
【００４３】
第２の実施例とする内燃機関用点火コイルの断面図を図５に、図５のＣ部拡大図を図６に、図５のＤ部拡大図を図７に、第２の実施例の変形例とする内燃機関用点火コイルの断面図を図８にそれぞれ示す。
【００４４】
第２の実施例においては前記第１の実施例で説明した前記外周鉄芯接続部32bは前記１次ボビン側面34aから前記ケース開口側面34bに亘る部分及び前記外周鉄芯40は前記１次ボビン側面42aから前記ケース開口側面42bに亘る部分を前記１次ボビン側突部14a，14bによって覆われている構成を除いた他の構成は同一であるため説明は省略する。
【００４５】
図５乃至図７において、図６に示すように前記外周鉄芯接続部32b側の前記２次ボビン20の前記ケース開口面62側には２次ボビン側突部22aが形成され、当該２次ボビン側突部22aは前記ケース開口側面34b沿いを前記ケース開口面62と平行の向きに突出している。また、前記外周鉄芯接続部32bは前記１次ボビン側面34aを前記１次ボビン10の前記フランジ12aによって覆われ、前記外周鉄芯接続部32bは前記ケース開口側面34bを当該２次ボビン側突部22aによって覆われている。
【００４６】
また、図７に示すように前記外周鉄芯接続部32c側の前記２次ボビン20の前記ケース開口面62側には２次ボビン側突部22bが形成され、当該２次ボビン側突部22bは前記ケース開口側面42b沿いを前記ケース開口面62と平行の向きに突出している。さらに、前記外周鉄芯40は前記１次ボビン側面42aを前記１次ボビン10の前記フランジ12bによって覆われ、前記外周鉄芯40の前記ケース開口側面42bを当該２次ボビン側突部22bによって覆われている。
【００４７】
また、前記フランジ部12aと前記１次ボビン側面34aの間、前記２次ボビン側突部22aと前記ケース開口側面34bの間、前記フランジ12bと前記１次ボビン側面42aの間、及び、前記２次ボビン側突部22bと前記ケース開口側面42bの間には前記モールド樹脂90が充填されている。
【００４８】
上記構成により、前記外周鉄芯接続部32b側の前記２次ボビン20の前記ケース開口面62側に前記２次ボビン側突部22aを形成し、前記２次ボビン側突部22aは前記ケース開口側面34b沿いを前記ケース開口面62と平行の向きに突出している。また、前記外周鉄芯接続部32bは前記ケース開口側面34bを前記２次ボビン側突部22aによって覆われていることで、前記フランジ部12aと前記１次ボビン側面34aの間に充填される前記モールド樹脂90に前記１次ボビン10及び前記中心鉄芯30の熱膨張係数の違いによるクラックが発生しても、前記２次ボビン側突部22aによってクラックは前記ケース開口面62と平行する方向（図６矢印）へ曲折されるため、前記ケース開口面62までクラックを波及させない。
【００４９】
また、前記外周鉄芯接続部32c側の前記２次ボビン20の前記ケース開口面62側に前記２次ボビン側突部22bを形成し、前記２次ボビン側突部22bは前記ケース開口側面42b沿いを前記ケース開口面62と平行の向きに突出している。さらに、前記外周鉄芯40の前記ケース開口側面42bを前記２次ボビン側突部22bによって覆われている。これにより、前記フランジ部12bと前記１次ボビン側面42aの間に充填される前記モールド樹脂90に前記１次ボビン10及び前記外周鉄芯40の熱膨張係数の違いによるクラックが発生しても、前記２次ボビン側突部22bによってクラックは前記ケース開口面62と平行する方向（図７矢印）へ曲折されるため、前記ケース開口面62までクラックを波及させない。
【００５０】
上記実施例２の変形例として、前記点火コイル100は図８に示すようにコの字型に成形した前記外周鉄芯40を前記鉄芯の磁路が前記ケース開口面62と直交する方向に配置した構成としてもよいし、前記点火コイル100の構成は設計事情によって適宜変更してもよい。また、前記２次ボビン側突部22aは前記中心鉄芯30の前記ケース開口側面34bを覆う形状であれば設計事情によって任意に変更してもよい。さらに、前記２次ボビン側突部22bは前記外周鉄芯40の前記ケース開口側面42bを覆う形状であれば設計事情によって任意に変更してもよい。
【００５１】
また、前記点火コイル100は前記外周鉄芯接続部32bが前記ケース開口側面34bを前記２次ボビン側突部22aによって覆われている構成又は前記外周鉄芯40が前記ケース開口側面42bを前記２次ボビン側突部22bによって覆われている構成のどちらか一方の構成のみ実施してもよい。さらに、前記点火コイル100は前記中心鉄芯30の外周に前記２次コイルを配置し、前記２次コイルの外周に前記１次コイルを配置する構成としてもよいし、前記鉄芯は２個のコの字型に成形した前記外周鉄芯40を組み合わせて構成してもよい。
【実施例３】
【００５２】
第３の実施例とする内燃機関用点火コイルの断面図を図９に、図９のE部拡大図を図１０にそれぞれ示す。
【００５３】
第３の実施例においては前記第１の実施例で説明した前記珪素鋼板を積層して成形したI字型の前記中心鉄芯30とロの字型の前記外周鉄芯40とを日の字型に組み合わせてなる前記鉄芯、前記鉄芯の磁路が前記ケース開口面62と並行する方向になるように配置する前記外周鉄芯40、及び、前記外周鉄芯接続部32bは前記１次ボビン側面34aから前記ケース開口側面34bに亘る部分及び前記外周鉄芯40は前記１次ボビン側面42aから前記ケース開口側面42bに亘る部分を前記１次ボビン側突部14a，14bによって覆われている構成を除いた他の構成は同一であるため説明は省略する。
【００５４】
図９及び図１０において、前記点火コイル100は、珪素鋼板を積層して成形したI字型の前記中心鉄芯30とコの字型の外周鉄芯40とからなる鉄芯としている。また、前記中心鉄芯30及び当該外周鉄芯40は前記珪素鋼板を前記ケース開口面62に対して直交する向きに積層させて構成し、当該外周鉄芯40は当該鉄芯の磁路が前記ケース開口面62と直交する方向になるように配置されている。さらに、当該外周鉄芯40は前記中心鉄芯30及び前記マグネット50との接続面を除いた周囲をポリブチレンテレフタレートで成形された鉄芯カバー52で覆われている。
【００５５】
また、図１０に示すように前記鉄芯カバー52は前記２次コイル側に配置されるコイル側鉄芯カバー54aと前記フランジ部12a側に配置されるコイル側鉄芯カバー54bとから構成される。さらに、前記外周鉄芯接続部32b側に配置される当該コイル側鉄芯カバー54bには鉄芯カバー側突部56が形成されている。
【００５６】
また、前記鉄芯カバー側突部56は前記ケース開口側面34bまで前記ケース開口面62と垂直の向きに突出している。さらに、前記外周鉄芯接続部32bは前記１次ボビン側面34aを前記１次ボビン10の前記フランジ12aによって覆われ、前記外周鉄芯接続部32bは前記ケース開口側面34bを前記鉄芯カバー側突部56によって覆われている。
【００５７】
また、前記モールド樹脂90は前記ケース開口面62付近まで充填され、前記鉄芯、前記１次コイル、及び、前記２次コイルは前記ケース開口面62付近に形成される樹脂面92より低い位置に備えられている。さらに、前記外周鉄芯40は当該樹脂面92から一部が高さ方向上方へ露出し、前記コイル側鉄芯カバー54aは当該樹脂面92より低い位置で備えられている。
【００５８】
また、前記フランジ部12aと前記１次ボビン側面34aの間及び前記鉄芯カバー側突部56と前記ケース開口側面34bの間には前記モールド樹脂90が充填されている。
【００５９】
上記構成により、前記外周鉄芯接続部32b側に配置される前記コイル側鉄芯カバー54bに前記鉄芯カバー側突部56を形成し、前記鉄芯カバー側突部56は前記ケース開口側面34b沿いまで前記ケース開口面62と垂直の向きに突出している。また、前記外周鉄芯接続部32bは前記ケース開口側面34bを前記鉄芯カバー側突部56によって覆われている。これにより、前記フランジ部12aと前記１次ボビン側面34aの間に充填される前記モールド樹脂90に前記１次ボビン10及び前記中心鉄芯30の熱膨張係数の違いによるクラックが発生しても、前記鉄芯カバー側突部56によってクラックは前記ケース開口面62と平行する方向（図１０矢印）へ曲折されるため、前記ケース開口面62までクラックを波及させない。
【００６０】
また、前記外周鉄芯40は前記鉄芯の磁路が前記ケース開口面62と直交する方向になるように配置し、前記樹脂面92から一部が高さ方向上方へ露出している前記点火コイル100では、前記ケース開口面62方向へ向かうクラックは前記樹脂面92付近の前記外周鉄芯40によって抑止するが、上記構成を用いて前記開口面92から離れた前記ケース60側面方向へクラックを波及させた方が信頼性に優れた内燃機関用点火コイルとなる。
【００６１】
上記実施例３の変形例として、前記鉄芯カバー側突部56は前記中心鉄芯30の前記ケース開口側面34bを覆う形状であれば設計事情によって任意に変更してもよい。また、前記鉄芯カバー側突部56を設けずに前記外周鉄芯40によって前記中心鉄芯30の前記ケース開口側面34bを覆う構成としてもよい。さらに、前記点火コイル100は前記中心鉄芯30の外周に前記２次コイルを配置し、前記２次コイルの外周に前記１次コイルを配置する構成としてもよい。
【符号の説明】
【００６２】
10：１次ボビン
12a，12b：フランジ部
14a，14b：１次ボビン側突部
16：１次巻線
20：２次ボビン
22a，22b：２次ボビン側突部
24：２次巻線
30：中心鉄芯
32a：コイル配置部
32b，32c：外周鉄芯接続部
34a：１次ボビン側面
34b：ケース開口側面
40：外周鉄芯
42a：１次ボビン側面
42b：ケース開口側面
50：マグネット
52：鉄芯カバー
54a，54b：コイル側鉄芯カバー
56：鉄芯カバー側突部
60：ケース
62：ケース開口面
64：取り付けフランジ
66：コネクタ
68：高圧タワー
70：高圧端子
72：コネクタ端子
74：２次高圧端子
80：イグナイタ
82：イグナイタ端子
90：モールド樹脂
92：樹脂面
100：点火コイル
【図１】
2013187216.tif 000003
【図２】
2013187216.tif 000004
【図３】
2013187216.tif 000005
【図４】
2013187216.tif 000006
【図５】
2013187216.tif 000007
【図６】
2013187216.tif 000008
【図７】
2013187216.tif 000009
【図８】
2013187216.tif 000010
【図９】
2013187216.tif 000011
【図１０】
2013187216.tif 000012
【図１１】
2013187216.tif 000013